(57)【要約】【課題】乾式分析素子とその分析結果の演算に使用する分析情報との不整合時に、再測定を要することなく正確な分析結果を得る。【解決手段】乾式分析素子１２に付与された素子情報を読み取る読み取り機３３と、分析結果を印刷するプリンタ５７とを備え、乾式分析素子１２に検体を点着し、素子情報に対応した分析情報に基づいて検体の成分を測定演算する自動分析装置において、プリンタ５７は分析結果を再印刷する再印刷機能を備え、該再印刷機能に、検体成分の演算を新たな分析情報の入力に応じて再演算する再演算機能を付加し、再演算した分析結果を再印刷する。この再演算機能は、測定結果、光学濃度値、試薬ロット情報、機差補正係数等の分析結果の演算に用いた分析情報を含む演算要素を保持し、この演算要素の変更入力に対応して再演算する。【選択図】          図７
2004294084.tif 000002
【特許請求の範囲】
【請求項１】
乾式分析素子に付与された素子情報を読み取る読み取り機と、分析結果を印刷するプリンタとを備え、前記乾式分析素子に検体を点着し、前記素子情報に対応した分析情報に基づいて前記検体の成分を測定演算する自動分析装置において、
前記プリンタは前記分析結果を再印刷する再印刷機能を備え、該再印刷機能に、前記検体の成分を新たな分析情報の入力に応じて再演算する再演算機能を付加し、再演算した分析結果を再印刷することを特徴とする自動分析装置。
【請求項２】
前記再演算機能は、測定結果、光学濃度値、試薬ロット情報、機差補正係数等の分析結果の演算に用いた分析情報を含む演算要素を保持し、この演算要素の変更入力に対応して再演算することを特徴とする請求項１に記載の自動分析装置。
【請求項３】
前記乾式分析素子の素子情報は、測定項目を規定する試薬種別情報と、試薬の製造ロット差を補正するための試薬ロット情報とを含み、前記試薬種別情報が乾式分析素子に付与され、前記試薬ロット情報が添付カードに付与されてなり、乾式分析素子と試薬ロット情報との不整合を較正する新たな試薬ロット情報の入力に基づき前記再演算機能により再演算することを特徴とする請求項１または２に記載の自動分析装置。
【請求項４】
前記乾式分析素子の素子情報は、測定項目を規定する試薬種別情報と、試薬の製造ロット差を補正するための試薬ロット情報とを含み、前記試薬種別情報および試薬ロット情報が乾式分析素子に付与され、該試薬ロット情報の読み取りエラーを較正する新たな試薬ロット情報の入力に基づき前記再演算機能により再演算することを特徴とする請求項１または２に記載の自動分析装置。
【発明の詳細な説明】
【０００１】
【発明の属する技術分野】
本発明は、血液、尿等の検体を、比色タイプの乾式分析素子、電解質タイプなどの乾式分析素子に点着し、検体中の所定の生化学物質の物質濃度、イオン活量等の成分を求める生化学分析装置等の自動分析装置に関し、特に分析結果を再印刷する機能に関するものである。
【０００２】
【従来の技術】
従来より、検体の小滴を点着供給するだけでこの検体中に含まれている特定の化学成分または有形成分を定量分析することのできる比色タイプの乾式分析素子や検体に含まれる特定イオンのイオン活量を測定することのできる電解質タイプの乾式分析素子が開発され、実用化されている。これらの乾式分析素子を用いた生化学分析装置は、簡単かつ迅速に検体の分析を行うことができるので、医療機関、研究所等において好適に用いられている。
【０００３】
比色タイプの乾式分析素子を使用する比色測定法は、検体を乾式分析素子に点着した後、これをインキュベータ内で所定時間恒温保持して呈色反応（色素生成反応）させ、次いで検体中の所定の生化学物質と乾式分析素子に含まれる試薬との組み合わせにより予め選定された波長を含む測定用照射光をこの乾式分析素子に照射してその光学濃度を測定し、この光学濃度から、予め求めておいた光学濃度と所定の生化学物質の物質濃度との対応を表す検量線を用いて該生化学物質の濃度を求めるものである。一方、電解質タイプの乾式分析素子を使用する電位差測定法は、上記の光学濃度を測定する代わりに、同種の乾式イオン選択電極の２個１組からなる電極対に点着された検体中に含まれる特定イオンの活量を、参照液を用いてポテンシオメトリで定量分析することにより求めるものである。
【０００４】
上記いずれの方法においても、液状の検体は検体容器（採血管等）に収容して装置にセットするとともに、その測定に必要な乾式分析素子を装置に搭載し、乾式分析素子を搭載位置から点着部およびインキュベータへ搬送する一方、点着機構の点着ノズルによって検体を搭載位置から点着部へ供給して乾式分析素子へ点着するものである。
【０００５】
また、乾式分析素子を構成する試薬の種類によって測定項目が異なり、この試薬種別すなわち測定項目に応じて点着方式、測光方式などが異なり、個々の乾式分析素子にはその試薬種別を含む素子情報が、バーコード記録方式等によって付与されている。この乾式分析素子を用いて測定を行う場合には、サンプルトレイから乾式分析素子を取り出して、素子情報を読み取り、読み取った素子情報に基づいて、その乾式分析素子の測定項目に応じた測定動作を行うように制御している。さらに、乾式分析素子の試薬には、その試薬ロット差により測定誤差を有するものがあり、この試薬ロット差を補正するための試薬ロット情報を、乾式分析素子の容器に磁気カードを添付し、分析装置では容器を開封して新たな試薬ロットの乾式分析素子を使用する場合には、添付カードを分析装置に読み込ませて試薬ロット差を補正して分析結果を演算することが実施されている（例えば、特許文献１参照）。
【０００６】
また、上記分析装置において、分析結果を出力記録するためなどに、これらのデータを印刷するプリンタを備えたものが知られている（例えば、特許文献２参照）。
【０００７】
【特許文献１】
特開平５−２６４５３５号公報
【０００８】
【特許文献２】
特開２０００−３９４００号公報
【０００９】
【発明が解決しようとする課題】
上記のように、前記乾式分析素子の測定特性は、製造ロットにより異なるために、精度のよい分析を実施するためには、試薬種別情報（測定項目）の情報だけでは不十分であり、そのために前記特許文献１のように自動分析装置において必要な試薬ロット情報を含む分析情報が、その乾式分析素子の試薬ロットに対応して磁気カードなどに記録され、乾式分析素子の包装単位ごとに添付されて使用者に提供されている。使用者は新たな包装を開いて乾式分析素子を使用する際には、それに添付されている磁気カードを自動分析装置に読み込ませて、その乾式分析素子に対応する分析情報を得て、精度のよい分析結果の演算が実施できるようにしている。
【００１０】
上記点から乾式分析素子と試薬ロット情報などの分析情報が整合していないと正確な分析が実施できないものであるが、乾式分析素子の新たな包装をあける都度、その試薬ロットにおける分析情報を読み込ませる作業は煩雑であり、読み込ませることを忘れると、乾式分析素子と分析情報とが対応しなくなって、正確な分析結果は得られない。測定後に試薬ロットの不整合に気がついても、再測定を行わなければ正確な分析結果が得られず、処理が煩雑である。また、緊急な検体の測定の際に試薬ロットが異なる乾式分析素子を使用することになったときに、その試薬ロット情報などを読み込ませる作業を行うことは、測定処理が中断されて処理時間が長くなる問題がある。
【００１１】
一方、上記乾式分析素子に付与する素子情報に試薬種別情報の他に試薬ロット情報も加えることが考えられるが、小さな乾式分析素子に付与する情報量が増大することに伴って、その読み取りエラーが発生する可能性が上昇し、これに伴う分析処理の稼働率の低下を招く問題がある。
【００１２】
具体的には、乾式分析素子に付与された素子情報の読み取りにエラーが発生したときは、測定を中断して素子情報を別途入力するか、乾式分析素子を交換し、または、その乾式分析素子に対する測定は中止してスキップし、次の乾式分析素子の測定を続行するように設定される。この測定が中止された検体については、該当する測定項目の乾式分析素子に、再度検体を点着して測定する再測定を行わなければならず、いずれの場合においても、測定作業が煩雑となる。
【００１３】
本発明はかかる点に鑑み、乾式分析素子とその分析結果の演算に使用する分析情報との不整合時に、再測定を要することなく正確な分析結果が得られるようにした自動分析装置を提供することを目的とするものである。
【００１４】
【課題を解決するための手段】
本発明の自動分析装置は、乾式分析素子に付与された素子情報を読み取る読み取り機と、分析結果を印刷するプリンタとを備え、前記乾式分析素子に検体を点着し、前記素子情報に対応した分析情報に基づいて前記検体の成分を測定演算する自動分析装置において、
前記プリンタは前記分析結果を再印刷する再印刷機能を備え、該再印刷機能に、前記検体の成分を新たな分析情報の入力に応じて再演算する再演算機能を付加し、再演算した分析結果を再印刷することを特徴とするものである。
【００１５】
前記再演算機能は、測定結果、光学濃度値、試薬ロット情報、機差補正係数等の分析結果の演算に用いた分析情報を含む演算要素を保持し、この演算要素の変更入力に対応して再演算するのが好適である。
【００１６】
前記乾式分析素子の素子情報は、測定項目を規定する試薬種別情報と、試薬ロット差を補正するための試薬ロット情報とを含み、前記試薬種別情報が乾式分析素子に付与され、前記試薬ロット情報が添付カードに付与されてなり、乾式分析素子と試薬ロット情報との不整合を較正する新たな試薬ロット情報の入力に基づき前記再演算機能により再演算するように構成し得る。
【００１７】
また、前記乾式分析素子の素子情報は、測定項目を規定する試薬種別情報と、試薬の試薬ロット差を補正するための試薬ロット情報とを含み、前記試薬種別情報および試薬ロット情報が乾式分析素子に付与され、該試薬ロット情報の読み取りエラーを較正する新たな試薬ロット情報の入力に基づき前記再演算機能により再演算するように構成し得る。
【００１８】
【発明の効果】
上記のような本発明によれば、再印刷機能によりプリンタで分析結果を再印刷する際に、この再印刷機能に検体成分を新たな分析情報の入力に応じて再演算する再演算機能を付加し、再演算した分析結果を再印刷するようにしたことにより、再測定を行うことなく不整合の演算要素を較正した再演算によって正確な分析結果を求めることができ、再度の測定を不要として効率のよい分析処理が行え、分析結果の信頼性が高まる。
【００１９】
この再演算機能により、試薬ロット情報が添付カードに付与された場合の乾式分析素子と試薬ロット情報との不整合が較正でき、また、試薬種別情報および試薬ロット情報がともに乾式分析素子に付与された場合の、試薬ロット情報の読み取りエラーの較正も、再測定することなく実施できる。
【００２０】
【発明の実施の形態】
以下、本発明の実施の形態を図面に沿って説明する。この実施形態では生化学分析装置による自動分析装置の例であり、図１は一実施形態の生化学分析装置の外観を示す斜視図、図２は生化学分析装置の概略機構を示す部分断面正面図、図３は生化学分析装置の素子搬送位置での要部機構の平面図、図４は乾式分析素子の搬送経路部分の断面正面図、図５はサンプルトレイが読み取り位置へ移動した状態を示す概略平面図、図６は乾式分析素子の平面図および底面図、図７は再印刷処理のフローチャートである。
【００２１】
図１〜図５により生化学分析装置１の全体構成を説明する。この生化学分析装置１の測定機構は、サンプルトレイ２、点着部３、第１のインキュベータ４、第２のインキュベータ５、点着機構６、素子搬送機構７、移送機構８、チップ廃却部９、素子廃却機構１０などを備えてなる。
【００２２】
上記機構を備えた生化学分析装置１の外観は、図１のように、全体を囲むように箱状に形成された装置筐体２０の前側上部が左右の前カバー５３，５４で覆われている。左側の前カバー５３の表面には操作パネル５５が設置され、その内部には下部に第１のインキュベータ４、素子廃却機構１０が配設され、透明材料による右側の前カバー５４の内部にはサンプルトレイ２が設置され、サンプルトレイ２と第１のインキュベータ４との間には点着部３、第２のインキュベータ５、移送機構８、チップ廃却部９が配設され、上部には左右に移動する点着機構６が設置されている。
【００２３】
また、筐体２０の上部の左側にプリンタ５７が設置され、筐体２０の上面に設けられたプリンタ５７の排紙口５７ａより、不図示の印刷された記録紙が排出される。一方、筐体２０の上部の右側にはカードリーダ５６が設置されている。
【００２４】
ここで、本発明に使用する乾式分析素子１２を図６に基づき説明する。図６は比色タイプの乾式分析素子１２を示し、点着された検体の呈色度合を測定するために使用される。この乾式分析素子１２はプラスチックによる表裏の矩形状のマウント部１２ａ内に試薬層を有する測定要素１２ｂが保持されてなる。図６（ａ）に示す表面のマウント部１２ａの中央には、点着孔１２ｃが開口されて測定要素１２ｂの表面が露出し、この部分に検体の点着が行われる。また、図６（ｂ）に示す裏面のマウント部１２ａの中央には、測光孔１２ｄが開口されて測定要素１２ｂの裏面が露出し、この部分の呈色度合が生化学分析装置１の後述の測光ヘッド９６によって測定される。この比色タイプの乾式分析素子１２は、異なる試薬（塗布物）で構成された測定要素１２ｂによって測定項目が異なる複数種類のものが同一形状に設けられ、その試薬種別情報（測定項目番号、検体種番号など）と、試薬ロット情報（製造ロット番号、その他製造に係わる固有の番号）とを含む素子情報が設定符号化されたドット配列パターン１２ｅが記録されている。
【００２５】
このドット配列パターン１２ｅによる素子情報は、試薬種別情報と試薬ロット情報を含み、乾式分析素子１２の裏面のマウント部１２ａにおける前部と後部の幅方向の中央部分にドット印刷によって形成されている。また、中央の測光孔１２ｄの近傍には、試薬種別情報を含み試薬ロット情報を含まない横縞状のバーコードパターン１２ｆが印刷によって形成されている。また、乾式分析素子１２の表面のマウント部１２ａには、測定項目名１２ｇが印字されている。
【００２６】
なお、バーコードパターン１２ｆは、ドット配列パターン１２ｅが読み取れない機種の分析装置にも使用可能とするためのものである。生化学分析装置１におけるカードリーダ５６は、試薬ロット情報が付与されているいないにかかわらず乾式分析素子１２と、それに添付された試薬ロット情報が記録された磁気カードを用いて測定する際に使用する。また、電解質タイプの乾式分析素子は図示してないが、上記と同様のパターン１２ｅ，１２ｆの印刷によって素子情報が付与される。
【００２７】
次に、図３に示すように前記サンプルトレイ２は円形で、検体を収容した検体容器１１、未使用の乾式分析素子１２（比色タイプの乾式分析素子および電解質タイプの乾式分析素子）を収容した素子カートリッジ１３、消耗品（ノズルチップ１４、希釈液容器１５、混合カップ１６および参照液容器１７）を搭載する。なお、検体容器１１は検体アダプタ１８を介して搭載され、ノズルチップ１４はチップラック１９に多数収納されて搭載される。
【００２８】
点着部３は、サンプルトレイ２の中心線の延長上に配置され、搬送された乾式分析素子１２に血漿、全血、血清、尿などの検体の点着が行われるもので、点着機構６によって比色測定タイプの乾式分析素子１２には検体を、電解質タイプの乾式分析素子１２には検体と参照液を点着する。この点着部３に続いてノズルチップ１４が廃却されるチップ廃却部９が配置されている。
【００２９】
第１のインキュベータ４は円形で、チップ廃却部９の延長位置に配置され、比色タイプの乾式分析素子１２を収容して所定時間恒温保持し、比色測定を行う。第２のインキュベータ５（図３参照）は、点着部３の側方における隣接位置に配設され、電解質タイプの乾式分析素子１２を収容して所定時間恒温保持し、電位差測定を行う。
【００３０】
素子搬送機構７（図４参照）は、詳細は示していないが、前記サンプルトレイ２の内部に配設され、このサンプルトレイ２の中心と第１のインキュベータ４の中心とを結び、点着部３およびチップ廃却部９を通る直線状の素子搬送経路Ｒ（図３）に沿って、乾式分析素子１２をサンプルトレイ２から点着部３へ、さらに第１のインキュベータ４へ搬送する素子搬送部材７１（搬送バー）を備える。素子搬送部材７１はガイドロッド３８により摺動自在に支持され、不図示の駆動機構によって往復移動操作され、先端部は縦板３４のガイド穴３４ａに挿入され、このガイド穴３４ａを摺動する。
【００３１】
移送機構８は点着部３を兼ねて設置され、点着部３から第２のインキュベータ５へ、素子搬送経路Ｒと直交する方向に、電解質タイプの乾式分析素子１２を移送する。
【００３２】
点着機構６は上部に配設され、昇降移動する点着ノズル４５が前述の素子搬送経路Ｒと同一直線上を移動し、検体および参照液の点着、希釈液による検体の希釈混合を行う。点着ノズル４５は、先端にノズルチップ１４を装着し、該ノズルチップ１４内に検体、参照液等を吸引し吐出するもので、その吸引吐出を行う不図示のシリンジ手段が付設され、使用後のノズルチップ１４はチップ廃却部９で外されて落下廃却される。
【００３３】
素子廃却機構１０（図３参照）は第１のインキュベータ４に付設され、測定後の比色タイプの乾式分析素子１２を第１のインキュベータ４の中心部に押し出して落下廃棄する。なお、前記素子搬送機構７によって廃却することもできる。また、第２のインキュベータ５で測定した後の電解質タイプの乾式分析素子１２は、前記移送機構８によって廃却穴６９に廃棄される。
【００３４】
また、サンプルトレイ２の近傍には、血液から血漿を分離する不図示の血液濾過ユニットが設置されている。
【００３５】
各部の機構を具体的に説明する。まず、サンプルトレイ２は、正転方向および逆転方向に回転駆動される円盤状の回転ディスク２１と、その中央部の円盤状の非回転部２２とを有する。
【００３６】
回転ディスク２１には、図３に示すように、各検体を収容した採血管等の検体容器１１を検体アダプタ１８を介して保持するＡ〜Ｅの５つの検体搭載部２３と、これに隣接して各検体の測定項目に対応して通常複数の種類が必要とされる未使用の乾式分析素子１２を積み重ねた状態で収容した素子カートリッジ１３を保持する５つの素子搭載部２４と、多数のノズルチップ１４を保持孔に並んで収容したチップラック１９を保持する２つのチップ搭載部２５と、希釈液を収容した３つの希釈液容器１５を保持する希釈液搭載部２６と、希釈液と検体とを混合するための混合カップ１６（多数のカップ状凹部が配置された成形品）を保持するカップ搭載部２７とが円弧状に配置されている。
【００３７】
また、非回転部２２には、素子搬送経路Ｒの延長上で点着ノズル４５の移動範囲に、参照液を収容した参照液容器１７を保持する筒状の参照液搭載部２８を備え、この参照液搭載部２８には、参照液容器１７の開口部を開閉する蒸発防止蓋３５（図２）が設置されている。
【００３８】
蒸発防止蓋３５は、下端が非回転部２２に揺動可能に枢支された揺動部材３７に保持され、閉方向に付勢されている。揺動部材３７の上端係止部３７ａが点着機構６の移動フレーム４２の下端角部４２ａと当接可能であり、参照液の吸引時に近接移動した移動フレーム４２により揺動部材３７が開方向に揺動され、蒸発防止蓋３５が参照液容器１７を開口して点着ノズル４５による参照液吸引が可能となる。その他の状態では蒸発防止蓋３５が参照液容器１７の開口部を閉塞して参照液の蒸発を防止し、その濃度変化による測定精度の低下を阻止する。
【００３９】
前記回転ディスク２１は、外周部が支持ローラ３１で支持され、中心部が不図示の支持軸に回転自在に保持されている。また、回転ディスク２１の外周には、不図示のタイミングベルトが巻き掛けられ、駆動モータによって正転方向または逆転方向に回転駆動される。非回転部２２は上記支持軸に回転不能に取り付けられている。
【００４０】
前記素子カートリッジ１３は、図４に示すように、上方から未使用の乾式分析素子１２が混在状態で通常複数枚重ねられて挿入される。前記素子搭載部２４に装填されると、下端部が素子搭載部２４の底壁２４ａに保持され、素子搬送面と同一高さに最下端部の乾式分析素子１２が位置し、最下端部の前面側には１枚の乾式分析素子１２のみが通過し得る開口１３ａが、後面側には素子搬送部材７１が挿通可能な開口１３ｂが形成されている。
【００４１】
また、乾式分析素子１２の下面に付与された素子情報を素子カートリッジ１３の下方から読み取れるように、素子カートリッジ１３の底面には窓部１３ｃが、素子搭載部２４の底壁２４ａにも窓部２４ｂがそれぞれ形成されている。
【００４２】
そして、サンプルトレイ２の下方に、乾式分析素子１２のドット配列パターン１２ｅによる素子情報を読み取る読み取り機３３が設置されている。この読み取り機３３は、図３に示す素子搬送位置から、サンプルトレイ２の作動により、回転ディスク２１が回動し、図５に示すように、検体容器１１（検体搭載部２３）が点着ノズル４５の移動経路（素子搬送経路Ｒ）上の吸引位置に移動したときに、その検体の測定に使用する乾式分析素子１２を収容した素子カートリッジ１３（素子搭載部２４）が移動した位置の下方に設置されている。つまり、図示の場合、読み取り機３３は、検体搭載部２３と素子搭載部２４との位相ピッチだけ素子搬送経路Ｒからずれた位相角度で、素子搭載部２４の回転位置に設置されている。なお、図３では回転ディスク２１を一部切除して読み取り機３３を示し、図４では読み取り機３３を便宜的に素子搬送経路Ｒにある素子搭載部２４の下方に示している。
【００４３】
上記読み取り機３３は、ドット記録方式の場合はＣＣＤカメラで構成され、バーコード方式の場合はバーコードリーダーで構成される。この読み取り機３３による乾式分析素子１２の素子情報の読み取りは、対応する検体容器１１からの検体吸引および乾式分析素子１２の搬送に先行して行う。そして、乾式分析素子１２に付与された素子情報の読み取りによって得られた６桁または４桁の数字から試薬種別情報、試薬ロット情報等を求めることができ、さらに、記録パターン等から、表裏および前後方向が認識できる。これにより、セット不良が検出でき、ワーニングを発することが可能である。さらに、測定項目によっては、参照液、希釈液が必要な場合があり、そのための消耗品１４〜１７が不足する場合、検体の種類と乾式分析素子１２の分析項目との不一致等があった場合にもワーニングを発することが可能である。
【００４４】
また、前記検体アダプタ１８は筒状に形成され、上部から検体容器１１が挿入される。この検体アダプタ１８は、不図示の識別部を有し、検体の種類（処理情報）、検体容器１１の種類（サイズ）等の情報が設定され、測定の初期時点でサンプルトレイ２の外周部に配設された識別センサ３０（図３）によってその識別が読み取られ、検体の希釈の有無、血漿濾過の有無などが判別されると共に、検体容器１１のサイズに伴う液面変動量が算出され、それに応じた処理制御が行われる。血漿濾過が必要な検体容器１１に対しては、アダプタ１８に検体容器１１を挿入した上に、濾過フィルターを備えたホルダーがスペーサ（いずれも不図示）を介して装着される。
【００４５】
点着部３および移送機構８は、サンプルトレイ２と第１のインキュベータ４との間に素子搬送経路Ｒと直交する方向に長い支持台６１を備え、その上に移動可能に摺動枠６２が設置されている。この摺動枠６２には、点着用開口６３ａ（図４）が形成された第１素子押え６３および第２素子押え６４が隣接して一体に移動可能に装着されている。第１素子押え６３（第２素子押え６４も同様）は、支持台６１に面する底面に、前記素子移動経路Ｒに沿って乾式分析素子１２が通過する凹部６３ｂを有する。また、摺動枠６２は、一端部がガイドバー６５に案内され、他端部側の長溝６２ａにピン６６が係合され、さらに、ラックギヤ６２ｂに駆動モータ６８の駆動ギヤ６７が噛合して移動される。支持台６１には、第２のインキュベータ５および廃却穴６９が設置されている。
【００４６】
そして、図３のように、第１素子押え６３が点着部３に位置している際には、点着後の比色タイプの乾式分析素子１２は素子搬送機構によって押し出されて第１のインキュベータ４に移送される。一方、電解質タイプの乾式分析素子１２への点着が行われると、摺動枠６２が移動されて点着後の乾式分析素子１２は第１素子押え６３に保持されたまま支持台６１上を滑るように第２のインキュベータ５に移送され、電位差測定が行われる。その際には、第２素子押え６４が点着部３（点着位置）に移動し、その後に搬送される比色タイプの乾式分析素子１２に対する検体の点着および第１のインキュベータ４への搬送が可能である。第２のインキュベータ５での測定が完了すると、摺動枠６２がさらに移動されて測定後の乾式分析素子１２を廃却穴６９に移送して落下廃却する。
【００４７】
なお、比色タイプの乾式分析素子１２を搬送する際には第２素子押え６４を点着部３に移動させておき、電解質タイプの乾式分析素子１２が搬送されるときのみ、第１素子押え６３を点着部３に移動させるようにしてもよい。
【００４８】
点着機構６（図２）は、固定フレーム４０の水平ガイドレール４１に、横方向に移動可能に保持された移動フレーム４２を備え、この移動フレーム４２に昇降移動可能に２本の点着ノズル４５が設置されている。移動フレーム４２には中央に縦ガイドレール４３が固着され、この縦ガイドレール４３の両側に２つのノズル固定台４４が摺動自在に保持されている。ノズル固定台４４の下部には、それぞれ点着ノズル４５の上端部が固着され、上部に上方に延びる軸状部材が駆動伝達部材４７に挿通されている。ノズル固定台４４と駆動伝達部材４７との間に介装された圧縮バネにより、ノズルチップ１４の嵌合力を得るようになっている。ノズル固定台４４は駆動伝達部材４７と一体に上下移動可能であると共に、点着ノズル４５の先端部にノズルチップ１４を嵌合する際に、圧縮バネの圧縮でノズル固定台４４に対して駆動伝達部材４７が下降移動可能である。上記駆動伝達部材４７は、上下のプーリ４９に張設されたベルト５０に固定され、不図示のモーターによるベルト５０の走行に応じて上下移動する。なお、ベルト５０の外側部位には、バランスウェイト５１が取り付けられ、非駆動時の点着ノズル４５の下降移動が防止される。
【００４９】
また、移動フレーム４２は不図示のベルト駆動機構によって横方向に駆動され、２つのノズル固定台４４は独自に上下移動するように、その横移動および上下移動が制御され、２つの点着ノズル４５は、一体に横移動すると共に、独自に上下移動するようになっている。例えば、一方の点着ノズル４５は検体用であり、他方の点着ノズル４５は希釈液用および参照液用である。
【００５０】
両点着ノズル４５は棒状に形成され、内部に軸方向に延びるエア通路が設けられ、下端にはピペット状のノズルチップ１４がシール状態で嵌合される。この点着ノズル４５にはそれぞれ不図示のシリンジポンプ等に接続されたエアチューブが連結され、吸引・吐出圧が供給される。また、この吸引圧力の変化に基づき検体等の液面検出が行えるようになっている。
【００５１】
チップ廃却部９は、搬送経路Ｒを上下方向に交差して設けられ、上部材８１および下部材８２を備える。このチップ廃却部９における支持台６１には、楕円形に開口された落下口８３が形成されている。上部材８１は支持台６１の上面に固着され、落下口８３の直上部位には係合切欠き８４が設けられ、下部材８２は支持台６１の下面に落下口８３の下方を囲むように筒状に形成され、落下するノズルチップ１４をガイドするようになっている。
【００５２】
そして、ノズルチップ１４が装着されている点着ノズル４５を、上部材８１内に下降させてから横方向に移動させ、その係合切欠き８４にノズルチップ１４の上端を係合してから、点着ノズル４５を上昇移動させてノズルチップ１４を抜き取り、外れたノズルチップ１４は落下口８３を通して落下廃却される。
【００５３】
比色測定を行う第１のインキュベータ４は、外周部に円環状の回転部材８７を備え、この回転部材８７は内周下部に固着された傾斜回転筒８８が下部のベアリング８９に支持されて回転自在である。回転部材８７の上部に上位部材９０が一体に回転可能に配設されている。上位部材９０の底面は平坦であり、回転部材８７の上面には円周上に所定間隔で複数（図２の場合１３個）の凹部が形成されて両部材８７，９０間にスリット状空間による素子室９１が形成され、この素子室９１の底面の高さは搬送面の高さと同一に設けられている。また、傾斜回転筒８８の内孔は測定後の乾式分析素子１２の廃却孔９２に形成され、素子室９１の乾式分析素子１２がそのまま中心側に移動されて落下廃却される。
【００５４】
上位部材９０には図示しない加熱手段が配設され、その温度調整によって素子室９１内の乾式分析素子１２を所定温度に恒温保持する。また上位部材９０には、図４に示すように、素子室９１に対応して乾式分析素子１２のマウントを上から押えて検体の蒸発防止を行う押え部材９３が配設されている。上位部材９０の上面には保温カバー９４が配設される一方、この第１のインキュベータ４は全体が遮光カバー９５によって覆われる。さらに、回転部材８７の各素子室９１の底面中央には測光用の開口９１ａが形成され、この開口９１ａを通して図２に示す位置に配設された測光ヘッド９６による乾式分析素子１２の反射光学濃度の測定が行われる。第１のインキュベータ４の回転駆動は、不図示のベルト機構により行われ、往復回転駆動される。
【００５５】
廃却機構１０は、外周側から中心方向に素子室９１内に進退移動する廃却バー１０１を備えている。この廃却バー１０１は後端部が水平方向に走行するベルト１０２に固定され、駆動モータ１０３の駆動によるベルト１０２の走行に応じ、素子室９１から測定後の乾式分析素子１２を押し出して廃却する。なお、廃却孔９２の下方には測定後の乾式分析素子１２を回収する回収箱が配設される。
【００５６】
また、イオン活量を測定する第２のインキュベータ５は、前述の摺動枠６２の第１素子押え６３が上位部材となり、その底部の凹部によって測定本体９７の上面との間に１つの素子室が形成される。この第２のインキュベータ５には、図示しない加熱手段が配設され、その温度調整によって乾式分析素子１２のイオン活量を測定する部分を所定温度に恒温加熱する。さらに、測定本体９７の側辺部にはイオン活量測定のための３対の電位測定用プローブ９８が出没して乾式分析素子１２のイオン選択電極に接触可能に設けられている。
【００５７】
なお、不図示の血漿濾過ユニットは、サンプルトレイ２に保持された検体容器１１（採血管）の内部に挿入され上端開口部に取り付けられたガラス繊維からなるフィルターを有する不図示のホルダーを介して血液から血漿を分離吸引し、ホルダー上端のカップ部に濾過された血漿を保持するようになっている。
【００５８】
上記のような生化学分析装置１の動作、測定条件の設定等は、筐体２０に設置された前記操作パネル５５からの入力によって行われる。この操作パネル５５（インターフェース）は、表示画面、スタートキー、ストップキー、検体キー、消耗品キー、手動キー、緊急キー、キャリブレーションキー、テンキー、印刷キーなど、指先で押して各種の指示操作を行う操作キーが配設されている。この操作パネル５５は、不図示の制御系に接続され、そこに登録されている制御プログラムに基づく測定処理が設定され、自動測定動作、手動測定動作、緊急測定動作、キャリブレーション動作、印刷動作などが選択実行され、光学濃度測定値に基づき前記素子情報に対応する分析情報によって分析結果（成分濃度）を算出するようになっている。そして、測定結果を出力記録するため、設定値の確認などのために、これらのデータをプリンタ５７によって印刷し、必要に応じ再印刷が行えるようになっている。このプリンタ５７による再印刷処理を次に説明する。
【００５９】
図７は再演算処理を含む再印刷処理を示すフローチャートである。まず、再印刷処理開始後、ステップＳ１で分析結果を再演算するか否かの選択画面を表示する。これに対するステップＳ２のユーザー入力に応じて、ステップＳ３で再演算するか否かを判定する。この判定がＮＯで分析結果を再演算しない場合には、ステップＳ９でそれまでの分析結果を再印刷する印刷処理を行って、プリンタ５７を駆動する。
【００６０】
一方、ステップＳ３の判定がＹＥＳで分析結果を再演算する場合には、ステップＳ４で再演算内容の選択画面を表示する。この再演算内容としては、変更される演算要素を選択するものであり、例えば、１．磁気カード、２．機差補正係数、３．希釈係数、４．終了が選択可能に表示される。１の磁気カードは、乾式分析素子と磁気カードとが不整合で対応した磁気カードを読み込ませることであり、２の機差補正係数および３の希釈係数は、装置が認識できなかった係数を入力するものである。これに対するステップＳ５のユーザー入力に応じて、まずステップＳ６で終了か否かを判定する。
【００６１】
このステップＳ６の判定がＮＯで、再演算する場合には、ステップＳ７で上記変更される演算要素として、磁気カートリッジの読み取り、または、機差補正係数または希釈係数係数の入力を行い、ステップＳ８で該当項目の再演算を行って分析結果を演算する。そして、ステップＳ４に戻って、ステップＳ４およびＳ５を繰り返すことにより、次の再演算項目を指定し、さらに、ステップＳ７およびＳ８によって該当項目の再演算を行う。
【００６２】
このようにして、必要な項目の再演算を実行した後には、ステップＳ５で終了を選択すると、ステップＳ６の判定がＹＥＳとなり、ステップＳ９に進んで再演算した分析結果を印刷する。
【００６３】
前記再演算機能による再演算は、例えば、乾式分析素子１２に試薬種別情報がバーコード等により付与され、試薬ロット情報が添付カードに付与された場合に、添付カードの読み込みを忘れて乾式分析素子１２と試薬ロット情報とが不整合であると判明したとき、この不整合を較正する新たな試薬ロット情報を入力し、これに基づいて測定時と同様に分析結果を演算しなおして正確な演算要素によって真の成分濃度を算出する。
【００６４】
また、他には、乾式分析素子１２には、前述のようにドット方式などにより試薬種別情報および試薬ロット情報がともに付与された場合に、読み取り機３３が試薬ロット情報の読み取りにエラーがあって整合した試薬ロットに対応した分析情報による演算でなく、一つの試薬ロットに対応した分析情報によって分析結果を求め、この分析結果に不整合がある可能性がある分析結果には、注意マークを付加して出力し、再演算処理を促す。そして、用いた乾式分析素子に適合した試薬ロット情報の入力に基づき再演算して、より正確な分析結果を得るものである。
【００６５】
そして、上記のような再演算を実行するためには、この再演算機能は、通常の測定における測定結果、光学濃度値、試薬ロット情報、機差補正係数等の分析結果の演算に用いた分析情報を含む演算要素を保持しておくものであり、ユーザーの再印刷に伴う再演算指示により、この演算要素の変更入力に対応して再演算する。
【００６６】
なお、乾式分析素子１２に付与された素子情報に試薬ロット情報を含む場合には、出力するデータに分析結果の演算で使用した演算要素の不整合要素を自動検索し、画面に表示してユーザーに知らせ、再演算処理を行うように勧め、演算要素の較正入力を待って再演算処理を実行するように設定するのが好ましい。また、各種の補正係数を用いて、不整合を解消するとともに、測定時とは異なる条件の補正係数で再演算させる機能を備えるようにしてもよい。
【００６７】
本実施形態によれば、検体の成分の測定を行って分析結果を得た後に、その測定における試薬ロット情報等の分析情報が乾式分析素子の特性と不整合のものであることが分かったときに、再印刷処理に付加されている再演算機能を用いて不整合が較正された演算要素の入力に基づき再演算して、真の分析結果を得ることができる。
【図面の簡単な説明】
【図１】本発明の一実施形態の生化学分析装置の外観を示す斜視図
【図２】生化学分析装置の概略構成を示す部分断面正面図
【図３】図２の生化学分析装置の素子搬送位置での点着機構を除く要部機構の平面図
【図４】乾式分析素子の搬送経路部分の断面正面図
【図５】サンプルトレイが読み取り位置へ移動した状態を示す概略平面図
【図６】乾式分析素子の平面図および底面図
【図７】再演算機能を含む再印刷処理を示すフローチャート
【符号の説明】
１    自動分析装置（生化学分析装置）
２    サンプルトレイ
３    点着部
６    点着機構
１１    検体容器
１２    乾式分析素子
１２ｅ    ドット配列パターン（素子情報）
１３    素子カートリッジ
１４    ノズルチップ
３３    読み取り機
４５    点着ノズル
５５    操作パネル
【図１】
2004294084.tif 000003
【図２】
2004294084.tif 000004
【図３】
2004294084.tif 000005
【図４】
2004294084.tif 000006
【図５】
2004294084.tif 000007
【図６】
2004294084.tif 000008
【図７】
2004294084.tif 000009